(57)【要約】【課題】  片面に記録する場合のＵターン搬送と両面に記録する場合の反転搬送を同一のローラで実行することができ、簡単かつコンパクトな構成で両面記録が可能な記録装置を提供する。【解決手段】  記録シートＰに画像を形成する記録ヘッド７と、記録ヘッドの搬送上流側に配された紙送りローラ３６と、積載された記録シートを給紙するための給紙ローラ８２と、を備える。給紙ローラから紙送りローラへ至るＵターンパス８９と、画像を形成した記録シートを給紙ローラへ逆送りする逆送りパス９１（９６）と、を構成する。Ｕターンパスにおける記録シートの反転搬送を給紙ローラで行う。【選択図】  図５
2009184801.tif 000002
【特許請求の範囲】
【請求項１】
記録シートに画像を形成する記録ヘッドと、前記記録ヘッドの搬送上流側に配された紙送りローラと、積載された記録シートを給紙するための給紙ローラと、該給紙ローラから前記紙送りローラへ至るＵターンパスと、画像を形成した記録シートを前記給紙ローラへ逆送りする逆送りパスと、を備え、
前記Ｕターンパスにおける記録シートの反転搬送を前記給紙ローラで行うことを特徴とする記録装置。
【請求項２】
前記逆送りパスは前記紙送りローラの搬送上流側から前記給紙ローラへ至る経路であり、
前記紙送りローラにより正送りされる記録シートの第１面に記録した後に、前記紙送りローラで逆送りすることにより該記録シートの先端部を前記給紙ローラへ搬送し、
次いで、前記記録シートを前記給紙ローラにより前記Ｕターンパスで表裏反転させて前記紙送りローラへ搬送し、
次いで、前記紙送りローラにより正送りされる該記録シートの第２面に記録することを特徴とする請求項１に記載の記録装置。
【請求項３】
記録シートの第１面に記録した後、該記録シートの第１面の後端が前記紙送りローラのニップから抜ける前に、該紙送りローラの逆転により前記記録シートを逆送りすることを特徴とする請求項２に記載の記録装置。
【請求項４】
記録シートを前記Ｕターンパスで搬送するために前記給紙ローラを回転させるタイミングは、該記録シートの第２面の後端が紙送りローラから外れた後とすることを特徴とする請求項２または３に記載の記録装置。
【請求項５】
前記逆送りパスは、前記紙送りローラと前記記録ヘッドの搬送下流側に配された排紙ローラとの間から前記給紙ローラへ至る経路であり、
前記紙送りローラにより正送りされる記録シートの第１面に記録した後に、前記排紙ローラで逆送りすることにより該記録シートの先端部を前記給紙ローラへ搬送し、
次いで、前記記録シートを前記給紙ローラにより前記Ｕターンパスで表裏反転させて前記紙送りローラへ搬送し、
次いで、前記紙送りローラにより正送りされる該記録シートの第２面に記録することを特徴とする請求項１に記載の記録装置。
【請求項６】
第１面に記録される記録シートの後端が前記紙送りローラのニップを通過した後、該記録シートの第１面の記録が終了した後に、前記排紙ローラの逆転により前記記録シートを逆送りすることを特徴とする請求項５に記載の記録装置。
【請求項７】
記録シートを前記Ｕターンパスで搬送するために前記給紙ローラを回転させるタイミングは、該記録シートの第２面の後端が排紙ローラから外れた後とすることを特徴とする請求項５または６に記載の記録装置。
【請求項８】
前記逆送りパスに、記録シートの第２面の先端を検知するための検知手段を配することを特徴とする請求項２乃至７のいずれか１項に記載の記録装置。
【請求項９】
前記逆送りパスを搬送される記録シートの第２面の先端が前記給紙ローラに到達した後に該給紙ローラを回転させることを特徴とする請求項２乃至８のいずれか１項に記載の記録装置。
【請求項１０】
画像情報に基づいて記録ヘッドから記録シートへインクを吐出して画像を記録するインクジェット記録装置であることを特徴とする請求項１乃至９のいずれか１項に記載の記録装置。
【発明の詳細な説明】
【技術分野】
【０００１】
本発明は、記録シートを表裏反転させて搬送するためのＵターンパスを備えた記録装置に関する。
【背景技術】
【０００２】
画像情報に基づいて記録ヘッドにより、記録媒体である記録シートに記録を行うプリンタ、ファクシミリ、複写機等の記録装置は、給紙部から給送される記録シートを画像形成部へ搬送し、画像形成部で記録した後に排紙部から排出する構成になっている。かかる記録装置として、記録シートの表面（第１面）に記録を行った後、該記録シートをＵターンパスに沿って搬送することにより表裏反転させて裏面にも記録を行うように構成したものがいくつか提案されている。
【０００３】
特許文献１には、記録媒体をＵターン給紙ローラから紙送り用の主搬送ローラまでの搬送経路と、反転搬送用のＵターン搬送経路とを同一搬送経路で構成した両面搬送機構を備えた記録装置が開示されている。また、特許文献２には、記録紙をその第１面が記録面となるように搬送路へ給紙する給紙ローラと、第１面に記録されて給排紙トレイに排出された記録紙を搬送路へ再給紙する給排紙ローラと、を備えた記録装置が開示されている。特許文献２の記録装置は、給排紙ローラによって再給紙される記録紙を反転することにより、その第２面を記録面として記録ヘッドへ送給する記録紙反転機構を備えている。
【特許文献１】特開２００５−１６１８３９号公報
【特許文献２】特開２００１−０８３７４７号公報
【発明の開示】
【発明が解決しようとする課題】
【０００４】
しかしながら、特許文献１の構成では、Ｕターン給紙の搬送経路と両面搬送の搬送経路とを共有している一方で、Ｕターン給紙ローラと両面搬送ローラが別のローラで構成されている。そのため、紙送りローラと両面搬送ローラとの間におけるＵターン給紙ローラの配置構成や、紙送りローラから両面搬送ローラまでの搬送経路の配置構成に対する制約が多く、コンパクト化が難しいという課題があった。また、特許文献２の構成では、一度排紙した記録媒体を第２の給紙部に誘導する必要があり、記録媒体の斜送が発生しやすいという課題があった。
【０００５】
本発明はこのような技術的課題に鑑みてなされたものである。本発明の目的は、片面に記録する場合のＵターン搬送と両面に記録する場合の反転搬送を同一のローラで実行することができ、簡単かつコンパクトな構成で両面記録が可能な記録装置を提供することである。
【課題を解決するための手段】
【０００６】
本発明の記録装置は、記録シートに画像を形成する記録ヘッドと、前記記録ヘッドの搬送上流側に配された紙送りローラと、積載された記録シートを給紙するための給紙ローラと、該給紙ローラから前記紙送りローラへ至るＵターンパスと、画像を形成した記録シートを前記給紙ローラへ逆送りする逆送りパスと、を備え、前記Ｕターンパスにおける記録シートの反転搬送を前記給紙ローラで行うことを特徴とする。
【発明の効果】
【０００７】
本発明によれば、片面に記録する場合のＵターン搬送と両面に記録する場合の反転搬送を同一のローラで実行することができ、簡単かつコンパクトな構成で両面記録が可能な記録装置が提供される。
【発明を実施するための最良の形態】
【０００８】
以下に本発明の実施形態を説明する。なお、各図面を通して同一符号は同一又は対応部分を示すものである。
〔第１の実施形態〕
図１は第１の実施形態に係る記録装置の斜視図である。図２は第１の実施形態に係る記録装置の縦断面図である。本実施形態では、記録装置がインクジェット記録装置である場合を例示する。記録装置１は、第１給紙部２、搬送部３、画像形成部５、排紙部４、クリーニング部６および第２給紙部８を備えている。本実施形態では、給紙手段として２つの給紙部２、８が構成され、第２給紙部８は積載された記録シートをＵターンパスで反転させて給送するものである。第１給紙部２は記録シートの表面を記録面として給送するものである。
【０００９】
第１給紙手段を構成する給紙部２は、圧板２１、給紙ローラ２８、分離ローラ２４１および戻しレバー２２などをベース２０に取り付けて構成されている。圧板２１には記録媒体である記録シートＰが積載されている。給紙ローラ２８は記録シートを画像形成部へ向けて給送する。分離ローラ２４１は給紙ローラ２８と協働して給送するための１枚の記録シートを分離する。戻しレバー２２は給紙ローラ２８まで送り出された余分の記録シートを積載位置に戻す。給紙ローラ２８の駆動は、後述する紙送りローラ３６を駆動するＬＦモードを用いて行われる。圧板２１上の記録シートは、可動サイドガイド２３により積載位置を規制されている。また、圧板２１は、回動可能であり、圧板バネ２１２により給紙ローラ２８に付勢されており、不図示のカムによって給紙ローラ２８に対する押圧位置および離間位置を規制される。給紙ローラ２８と対向する圧板２１の部位には、重送防止用の摩擦係数の大きい分離シート２１３が接合されている。
【００１０】
ベース２０に回動可能に軸支されたホルダ２４には、記録シートＰを１枚ずつ分離するための分離ローラ２４１が軸支されている。分離ローラ２４１は、不図示のばねによりホルダ２４を付勢することにより給紙ローラ２８に押圧される。分離ローラ２４１は、その軸部にクラッチばねを有し、所定値を越えるトルク負荷で回転する。また、分離ローラ２４１は、不図示のリリースシャフトおよびコントロールカムによって給紙ローラ２８に対する押圧位置および離間位置を規制される。戻しレバー２２は、ベース２０に回動可能に取り付けられるとともにばねにより解除方向に付勢されており、コントロールカム（不図示）で回動させることにより記録シートを積載位置に戻す。
【００１１】
通常の待機状態では、圧板２８はリリースされ、分離ローラ２４１もリリースされ、戻しレバー２２は積載口を塞ぐ位置にある。この状態から、給紙動作が開始されると、まず、分離ローラ２４１が給紙ローラ２８に押圧され、次いで、戻しレバー２２がリリースされ、圧板２１が給紙ローラ２８に押圧される。この状態で、記録シートＰの給紙が開始される。積載された記録シートは、前段分離部で制限され、所定枚数の記録シートが給紙ローラ２８と分離ローラ２４１のニップまで送られる。送られた記録シートＰは、分離ローラ２４１により分離され、最上位の１枚が給送される。記録シートが紙送りローラ３６とピンチローラ３７のニップに到達すると、圧板２１はリリースされ、分離ローラ２４１もリリースされる。戻しレバー２２は積載位置に戻される。このとき、給紙ローラ２８と分離ローラ２４１のニップに到達していた記録シートＰは戻しレバー２２により積載位置まで戻される。
【００１２】
記録シートＰを搬送する搬送手段を構成する搬送部３は、紙送りローラ３６と、紙送りローラ３６に押圧されるピンチローラ３７と、記録シートの先後端を検知するためのＰＥセンサ（紙端センサ）とを備えている。紙送りローラ３６は、金属軸の表面にセラミックの微小粒をコーティングした構成であり、シャーシ１１に設けられた軸受３８により両端部を軸支されている。紙送りローラ３６には、安定した搬送を維持するために所定の回転負荷が付与されている。紙送りローラ３６には複数のピンチローラ３７が従動回転可能に圧接されている。ピンチローラ３７は、シャーシ１１に回動可能に軸支されたローラホルダ３０に軸支され、ローラホルダ３０をばね付勢することにより紙送りローラ３６に圧接されている。ローラホルダ３０には、記録シートＰの先後端検知をＰＥセンサに感知させるためのＰＥセンサレバー３１が設けられている。
【００１３】
紙送りローラ３６の一端部には駆動伝達用のプーリ３６１が固定されている。紙送りローラ３６は、ＤＣモータからなる不図示のＬＦモータの回転をタイミングベルトを介してプーリ３６１に伝達することで駆動される。紙送りローラ３６の一端部にはコードホイール３６２が設けられており、エンコーダセンサでコードホイール３６２の目盛りを読み取ることにより紙送りローラ３６の搬送量を検知している。前述のＰＥセンサによる記録シートの先後端検知と紙送りローラ３６の搬送量検知とから、画像形成部５における記録シートの記録位置を算出している。
【００１４】
記録手段を構成する画像形成部５は紙送りローラ３６の搬送下流側に配されている。画像形成部５は、画像情報に基づいて記録シートＰに画像を記録する記録ヘッド７と、記録ヘッド７を搭載して記録シートＰの幅方向に移動（主走査）可能なキャリッジ５０とを備えている。本実施形態に係る記録装置はインクジェット記録装置であり、記録ヘッド７は複数の吐出口からインクを吐出して画像を形成するインクジェット記録ヘッドである。また、記録ヘッド７には、カラー記録のための複数色のインクタンク７１が交換可能に装着されている。記録ヘッド７は、ヘッドセットレバー５１により、キャリッジ５０上に位置決め装着されている。キャリッジ５０には、記録ヘッド７の装着を案内するとともにインクタンク７１を保持するためのカバー部材５３が取り付けられている。記録ヘッド７と対向する位置には、記録シートを支持するためのプラテン３４が配設されている。プラテン３４上の記録シートと記録ヘッド７の吐出面との間には、インク滴を飛翔させるための所定の隙間が設けられている。前述の紙送りローラ３６は、記録位置でもある記録ヘッド７の搬送上流側に配されている。
【００１５】
シャーシ１１には、キャリッジ５０の往復移動を案内するための１対の平行なガイドレール５２ａ、５２ｂが設けられている。キャリッジ５０は、キャリッジモータ５４により、タイミングベルト５５を介して駆動される。タイミングベルト５５は、アイドルプーリ５６によって張設されるとともに、その途中でキャリッジ５０に連結されている。また、タイミングベルト５５と平行にコードストリップ５７が配されており、キャリッジ５０上のエンコーダセンサでコードストリップ５７を読み取ることにより、キャリッジ５０の位置が検知される。以上の記録手段を構成する画像形成部５によれば、キャリッジ５０を移動させながら記録ヘッド７で記録する主走査と、搬送ローラ３６により記録シートＰを紙送りする副走査とを交互に繰り返すことにより、記録シート全体の記録が行われる。
【００１６】
排紙部４０は、排紙ローラ４０と、排紙ローラ４０に押圧されて従動回転する拍車４２とを備えた排紙手段を構成している。排紙ローラ４０はプラテン３４に取り付けられており、紙送りローラ３６と同期駆動される。拍車４２は弾性部材を介して拍車ホルダ４３に取り付けられており、弾性力により排紙ローラ４０に押圧されている。画像形成部５で記録された記録シートＰは、排紙ローラ４０と拍車４２のニップにより装置本体外へ排出され、排紙トレイ４５上に載置される。
【００１７】
本実施形態に係る記録装置はインクジェット記録装置であることから、キャリッジ５０の移動範囲内であって記録領域を外れた所定位置に、記録ヘッド７のインク吐出性能を維持回復するための回復手段であるクリーニング部６が設けられている。クリーニング部６は、記録ヘッド７の吐出口を覆うためのキャップ６１と、吐出口面を拭き取り清掃するためのワイパーと、キャップに接続された吸引ポンプ６０とを備えている。キャップ６１で吐出口を密閉した状態で吸引ポンプを作動させることにより、吐出口からインクを強制的に吸引排出させ、吐出口内のインクをリフレッシュさせることができる。また、吐出口面を開放した状態で、キャップもしくはインク受けにインクを空吐出することにより吐出口内のインクをリフレッシュさせることもできる。
【００１８】
第２給紙部８は、第１給紙部２の下方に配されたＵターン給紙手段で構成されている。このＵターン給紙手段８は、記録シートＰを積載する積載部８７、積載された記録シートを給送する給紙ローラ８２、記録シートを分離する分離部材８１などをベース８０に取り付けて構成されている。ベース８０には、給紙ローラ８２に駆動を伝達する給紙シャフト８４と、給紙シャフト８４を中心に回動可能な給紙アーム８３が取り付けられている。給紙ローラ８２は給紙アーム８３の先端部に軸支されている。このＵターン給紙手段８には、給紙ローラ８２により給送される記録シートＰを表裏反転させるための搬送経路を構成するＵターンパス８９が設けられている。図示のＵターンパス８９は、リアガイド８５、第１給紙部２のベース２０の下面、第２給紙部のベース８０、切り替えフラッパ８６およびローラホルダ３０などで構成されている。なお、切り替えフラッパ８６は、記録シートの搬送経路を開放する位置と、逆送りパス９１の入口を開放する位置との間で切り替え可能である。ここで、搬送経路は、第１給紙部２および第２給紙部８から紙送りローラ３６へ至る搬送経路である。また、逆送りパス９１は、紙送りローラ３６の逆転により逆送りされる記録シートを給紙ローラ８２へ送り込むためのパス（搬送路）である。
【００１９】
積載部８７に積載された記録シートは、給紙ローラ８２の回転により、Ｕターンパス８９を通して、紙送りローラ３６とピンチローラ３７のニップへ搬送される。このとき、紙送りローラ３６は逆転（逆送り）方向に回転している。そして、給紙ローラ８２により反転搬送されてきた記録シートの先端（第１面の先端）を紙送りローラ３６のニップに突き当ててループを形成することにより、記録シートのレジ取り（先端揃え）が行われる。次いで、紙送りローラ３６を正転（正送り方向の回転）させることにより、記録シートを記録開始位置へ搬送する。この記録シートはＵターンパス８９で表裏反転していることから、画像形成部５においては積載時の下面に記録される。本実施形態では，このようなＵターン給紙手段８が設けられていることから、画像形成部５で記録シートの第１面（表面）に記録した後、さらに該記録シートの第２面（裏面）にも記録する両面記録を行うことができる。すなわち、第１面に記録した後、さらに第２面（裏面）にも記録を行う場合は、この記録シートを後述する逆送りパス９１を通して給紙ローラ８２へ送り込む。そして、この記録シートを給紙ローラ８２によりＵターン搬送し、表裏反転させて紙送りローラ３６へ再度搬送し、画像形成部５でその裏面にも記録する。このような両面記録における第２面の記録は、第１給紙部２から給送される記録シートに対しても、積載部８７から給送される記録シートと同様の方法で実行することができる。
【００２０】
Ｕターン搬送用の給紙ローラ８２の駆動は、紙送りローラ３６の駆動を利用しても良く、独立した駆動源を用いても良い。ただし、紙送りローラ３６が逆転（記録シートを搬送上流方向へ逆送りする回転）しているときには駆動伝達を遮断する必要がある。そのため、本実施形態では、クリーニング部６のＰＧモータの駆動を切り替えて給紙ローラ８２を駆動する機構が採用されている。ただし、これに限定されずに、例えば、キャリッジ５０の移動により駆動伝達のトリガーが掛かる機構など、他の駆動機構を用いても良い。
【００２１】
本実施形態においては、紙送りローラ３６の搬送上流側（例えば、上流側の隣接位置）からＵターン搬送用の給紙ローラ８２へ至る経路を形成する逆送りパス９１が設けられている。この逆送りパス９１は、記録ヘッド７により画像を形成した記録シートＰを、給紙ローラ８２によりＵターンパス８９で表裏反転させて再度紙送りローラ３６へ給送するために使用される。逆送りパス９１を使用するときは、切り替えフラッパ８６は逆送りパス９１の入口を開放する位置（図５）へ切り替えられる。すなわち、紙送りローラ３６により正送りされる記録シートＰの第１面に記録した後、第１面の後端が紙送りローラ３６のニップから抜ける前に紙送りを停止する。次いで、紙送りローラ３６の回転方向を反転させ、紙送りローラ３６の逆転により記録シートを逆送りする。そして、記録シートの第２面の先端部（第１面の後端部）が給紙ローラ８２に到達するまで逆送りした後、給紙ローラ８２の回転を開始する。給紙ローラ８２の回転により、記録シートをＵターンパス８９で表裏反転させながら搬送し、再度紙送りローラ３６のニップへ送り込む。
【００２２】
図３は記録シートをＵターンパスで搬送するときの縦断面図である。図４は第１面に記録した記録シートの逆送りを開始するときの縦断面図である。図５は逆送りした記録シートの先端部がＵターン搬送用の給紙ローラに到達したときの縦断面図である。図６は第２面に記録するために記録シートをＵターンパスで反転搬送するときの縦断面図である。次に、Ｕターン給紙手段８を用いた一連の記録動作について説明する。ＬＦ（搬送）モータの駆動が給紙ローラ８２に伝達される状態で、ＬＦモータを逆回転させる。ＬＦモータの逆回転により、紙送りローラ３６を逆送り方向（搬送上流へ搬送する方向）に逆転させる。すると、給紙ローラ８２が給送方向に回転し、積載部８７に記録シートＰ１が積載されている場合は、該記録シートをＵターンパス８９へ向けて給送する。複数枚の記録シートが給紙される場合は、分離部材８１に突き当たり、最上位の１枚のみが分離されてＵターンパス８９へ給送される。そして、図３に示すように、１枚の記録シートＰ２がＵターンパス８９を搬送される。
【００２３】
すると、ＰＥセンサレバー３１が記録シートＰ２の第１面の先端を検知することで、該記録シートの画像形成位置が求められる。さらに搬送すると、逆転している紙送りローラ３６とピンチローラ３７のニップに記録シートの先端が突き当たることで、レジ取り動作が行われる。その後、ＬＦモータを正転に切り替えることにより、紙送りローラ３６を正転に切り替え、記録シートＰ２を記録位置へ搬送する。このとき、Ｕターン搬送用の給送ローラ８２は、ＬＦモータの正転では回転しないため、フリーな状態となって記録シートＰ２とつれ回りする。その後の記録シートＰ２の記録動作および排紙動作は、前述したとおりである。こうして、記録シートの給紙、搬送、記録および排紙の一連の動作が行われる。
【００２４】
次に、記録シートＰの表裏に記録する自動両面記録の動作について説明する。第１給紙部２もしくはＵターン給紙部８から給送された記録シートＰ２の第１面に対する記録が行われ、記録シートの後端近傍まで記録したところで記録が終了する。本実施形態では、記録シートの第１面の記録が終了した時点で、図４に示すように、その後端部は紙送りローラ３６のニップにより挟持されている。この状態で、第１面の記録動作を終了し、切り替えフラップ８６を回転させて逆送りパス９１の入口を開き、反転動作へ移行する（図４、図５）。切り替えフラップ８６の開閉は、例えばキャリッジ５０の特定位置で逆送りパス９１を開く構成にしても良く、別の駆動源で開閉する構成にしても良い。
【００２５】
図５は、逆送りパス９１を開いた状態で紙送りローラ３６の逆転により、記録シートＰ２の先端部が給紙ローラ８２に到達するところまで搬送した状態を示す。その際、逆送りパス９１に配されたＰＥセンサレバーおよびＰＥセンサにより記録シートの第２面の先端（第１面の後端）を検知する。これにより、逆送りされてくる記録シートの位置が算定される。また、給紙ローラ８２は、図５に示すように記録シートの先端が到達するまでは、回転を開始しない。その理由は、反転させたい記録シートＰ２が到達する前に給紙ローラ８２を回転させると、積載部８７に積載されている記録シートＰ１を給送してしまうおそれがあるためである。反転させたい記録シートＰ２が給紙ローラ８２に到達した後、ＬＦモータの逆回転を利用して給紙ローラ８２を矢印で示す搬送方向に回転させ、Ｕターンパス８９における反転搬送を開始する。
【００２６】
図６は、反転される記録シートＰ２の全体が逆送りパス９１およびＵターンパス８９の経路中に入ってしまうまで搬送した状態を示す。この状態からさらに搬送すると、ＰＥセンサレバー３１およびＰＥセンサにより記録シートＰ２の第２面の先端を検知し、画像形成位置を算定する。さらに搬送し、逆回転している紙送りローラ３６のニップにシート先端を突き当ててループを形成することでレジ取り動作を行う。その後、ＬＦモータを正転に切り替えて紙送りローラ３６を正転させることにより、記録シートＰ２を再び画像形成位置へ送り込み、第２面（裏面）の記録を行う。このとき、給紙ローラ８２は、ＬＦモータの正転によっては回転しないため、フリーな状態となり、記録シートの搬送に伴ってつれ回りすることになる。その後の記録および排紙の動作は前述のとおりである。
【００２７】
以上説明した実施形態によれば、片面に記録する場合のＵターン搬送と両面に記録する場合の反転搬送を同一のローラ（給紙ローラ８２）で実行することができ、簡単かつコンパクトな構成で自動両面記録が可能な記録装置が提供される。なお、本実施形態では、反転搬送における給紙ローラ８２の回転開始を、記録シートの第２面の先端が到達した後とし、回転方向を異にする紙送りローラ３６と給紙ローラ８２との協働により反転搬送している。しかし、紙送りローラ３６と給紙ローラ８２との距離が大きい場合は、記録シートの第２面の先端が給紙ローラ８２に到達していれば、該記録シートの第２面の後端が紙送りローラ３６のニップから外れていても良い。その場合は、記録シートの反転搬送が給紙ローラ８２のみで行われるので、ローラ間の増速や減速の相対関係を考慮する必要がなくなり、一層容易に高精度な反転搬送を実行することができる。
【００２８】
また、本実施形態では、記録シートの第１面の記録は、シート後端が紙送りローラ３６のニップに挟持されている時点で終了させている。その理由は、シート後端が紙送りローラ３６のニップより搬送下流側へ抜け出すと、逆送り（バックフィード）するときに記録シートを紙送りローラ３６のニップに再び挟持させることが困難になるおそれがあるためである。ただし、本発明は、それに限定されるものではなく、例えば、ピンチローラ３７を紙送りローラ３６に対し離間圧接させる構成を追加することにより、記録シートが紙送りローラ３６を通過しても、後端一杯まで記録することができる（例えばふち無し記録）。さらに、本実施形態では、逆送りパス９１およびＵターンパス８９に給紙ローラ８２以外の搬送ローラを設けない構成としたが、これは、必要に応じて搬送ローラやガイドローラ等を追加しても良く、本発明はかかる構成もその範囲内に含むものである。
【００２９】
〔第２の実施形態〕
図７は第２の実施形態において逆送りした記録シートの先端部がＵターン搬送用の給紙ローラに到達したときの縦断面図である。本実施形態では、画像を形成した記録シートをＵターン搬送用の給紙ローラ８２まで逆送りするための逆送りパス９６がプラテン３４を貫通して形成されている。また、逆送りパス９６の入口を開閉するための切り替えフラッパ９７はプラテン３４に取り付けられている。そして、切り替えフラッパ９７は、記録ヘッド７で画像を形成するときは逆送りパス９６の入口を閉じる位置となる。また、切り替えフラッパ９７は、第１面を記録した記録シートを排紙ローラ４０の逆転により逆送りするときは、逆送りパス９６の入口を開くとともに、記録シートの第２面の先端（第１面の後端）を逆送りパス９６内へ導入する位置となる。また、プラテン３４内の逆送りパス９６に配されたＰＥセンサレバーおよびＰＥセンサにより記録シートの先端（第１面の後端）を検知することで、逆送りされる記録シートの位置を算定している。図７は逆送りされた記録シートの第２面の先端部が給紙ローラ８２に到達した状態を示す。第２の実施形態は、以上説明した以外の点では第１の実施形態と同じ構成を有し、図７中には対応する部分がそれぞれ同じ符号で示されている。
【００３０】
次に、第２の実施形態の動作について説明する。まず、第１給紙部２もしくは第２給紙部８から給送される記録シートの第１面に記録する動作は、第１の実施形態と同じである。本実施形態では、第１面を記録した記録シートＰ２は、シート後端を紙送りローラ３６のニップを通過させた後、シート後端が切り替えフラッパ９７と排紙ローラ４０のニップとの間に到達するまで、正送り方向に搬送される。排紙ローラ４０は、ＬＦモータを駆動源とし、紙送りローラ３６と同期して同方向に駆動される。これにより、ピンチローラ３７を紙送りローラ３６から離間させる構成を必要とせずに、記録シートＰ２の後端一杯まで記録を行うことができる。かかる状態で記録シートＰ２の第１面の記録を終了し、以下に説明する反転動作に移行する。
【００３１】
反転動作においては、まず、切り替えフラッパ９７を図７中の矢印方向に回動させ、逆送りパス９６の入口を開く。本実施形態でも、切り替えフラッパ９７の開閉はキャリッジ５０の特定位置への移動を利用して行う構成が採られているが、これは、他の駆動源もしくは動作を利用して行っても良い。そこで、図７のように、切り替えフラッパ９７を開いた状態でＬＦモータを逆転させて排紙ローラ４０を逆転させることにより、記録シートＰ２を逆送りパス９６を通して給紙ローラ８２へ逆送りする。このとき、逆送りパス９６に配されたＰＥセンサレバー９８およびＰＥセンサにより記録シートの第２面の先端を検知することで、逆送りされる記録シートの位置を算定する。そして、記録シートの第２面の先端部が給紙ローラ８２に到達するまで逆送りする。給紙ローラ８２は、記録シートの第２面の先端が到達するまでは回転させない。その理由は、反転させたい記録シートＰ２が到達する前に給紙ローラ８２を回転させると、積載部８７上の記録シートＰ１を給紙するおそれがあるためである。
【００３２】
記録シートＰ２の先端部が給紙ローラ８２に到達した後、ＬＦモータの逆回転させて給紙ローラ８２を矢印で示す搬送方向に回転させることにより、Ｕターンパス８９における記録シートの反転搬送を開始する。その後の記録シートの搬送、記録および排紙は、前述と同じ動作の流れで実行される。以上の一連の動作により、記録シートの表裏に対する自動両面記録が行われる。本実施形態によっても、片面に記録する場合のＵターン搬送と両面に記録する場合の反転搬送を同一のローラ（給紙ローラ８２）で実行することができ、簡単かつコンパクトな構成で自動両面記録が可能な記録装置が提供される。また、本実施形態では、第１の実施形態に比べ、ピンチローラ３７を紙送りローラ３６に対して離間させるリリース機構を設けなくても、記録シートの第２面に記録するための逆送りおよび反転搬送を容易にかつ高精度で行うことができる。
【００３３】
なお、本実施形態においても、ＰＥセンサレバーおよびＰＥセンサにより記録シートの位置を検知しているが、これは別のセンサで検知しても良い。また、本実施形態でも、給紙ローラ８２の回転開始を記録シートの第２面の先端が到達した後とし、回転方向を異にする排紙ローラ４０と給紙ローラ８２との協働により反転搬送を実行している。しかし、本発明はこれに限定されるものではなく、排紙ローラ４０と給紙ローラ８２との距離が大きい場合は、記録シートの第２面の先端（第１面の後端）が給紙ローラ８２に到達していれば、第２面の後端が排紙ローラ４０のニップから外れていても良い。その場合は、記録シートの反転搬送が給紙ローラ８２のみで行われるので、ローラ間の増速や減速の相対関係を考慮する必要がなくなり、一層容易に高精度な反転搬送を実行することができる。さらに、本実施形態でも、逆送りパス９６およびＵターンパス８９に給紙ローラ８２以外の搬送ローラを設けない構成としたが、これは、必要に応じて搬送ローラやガイドローラ等を追加しても良く、本発明はかかる構成もその範囲内に含むものである。
【００３４】
なお、以上の実施形態では、記録ヘッドを往復移動させて画像を形成するシリアルタイプの記録装置を例に挙げて説明したが、本発明は、紙送りのみで１ラインずつ一括して画像を形成するラインタイプの記録装置にも同様に適用可能である。また、本発明は、インクジェット記録装置の他、熱転写式、感熱式、レーザービーム式、ワイヤドット式など、他の記録方式の記録装置にも同様に適用可能である。さらに、本発明は、プリンタ、ファクシミリ、複写機等の単体の記録装置の他、複合機器やシステム構成などにおける記録装置に対しても同様に適用可能である。また、本発明は、記録媒体として、紙、プラスチックシート、写真調印画紙、布など、シート状の種々の材質を使用する場合にも同様に適用可能である。
【図面の簡単な説明】
【００３５】
【図１】第１の実施形態に係る記録装置の斜視図である。
【図２】第１の実施形態に係る記録装置の縦断面図である。
【図３】記録シートをＵターンパスで搬送するときの縦断面図である。
【図４】第１面に記録した記録シートの逆送りを開始するときの縦断面図である。
【図５】逆送りした記録シートの先端部がＵターン搬送用の給紙ローラに到達したときの縦断面図である。
【図６】第２面に記録するために記録シートをＵターンパスで反転搬送するときの縦断面図である。
【図７】第２の実施形態において逆送りした記録シートの先端部がＵターン搬送用の給紙ローラに到達したときの縦断面図である。
【符号の説明】
【００３６】
１      記録装置
５      記録手段（画像形成部）
７      記録ヘッド
８      Ｕターン給紙手段
３４    プラテン
３６    紙送りローラ
３７    ピンチローラ
４０    排紙ローラ
４２    拍車
５０    キャリッジ
８２    給紙ローラ（Ｕターン用）
８６    切り替えフラッパ
８７    積載部
８９    Ｕターンパス
９１    逆送りパス
９６    逆送りパス
９７    切り替えフラッパ
９８    ＰＥセンサレバー
Ｐ      記録シート（記録媒体）
Ｐ１    積載された記録シート
Ｐ２    搬送中の記録シート
【図１】
2009184801.tif 000003
【図２】
2009184801.tif 000004
【図３】
2009184801.tif 000005
【図４】
2009184801.tif 000006
【図５】
2009184801.tif 000007
【図６】
2009184801.tif 000008
【図７】
2009184801.tif 000009